(57)【要約】【課題】迷子札のコストを低く抑え、ペット、子供、老人や物等の管理対象体が迷子になった場合に、所有者や保護者等に的確に引き合わせることが可能な迷子管理システムの提供。【解決手段】各ペット１に対する連絡先を管理する管理サーバ３と、各ペット１に装着されるタグ２とを有し、タグ２は、携帯電話装置４により読み取り可能な二次元コード２０であって管理サーバ３に接続するためのＵＲＬおよび各ペット１を識別するための識別情報を含む二次元コード２０が付与されたものであり、管理サーバ３は、タグ２に付与された二次元コード２０に基づいて接続した携帯電話装置４に対し、ペット１に対する連絡先を提供するものである。【選択図】図１
2007213523.tif 000002
【特許請求の範囲】
【請求項１】
各管理対象体に対する連絡先を管理する管理サーバと、
前記各管理対象体に装着されるタグとを有し、
前記タグは、携帯電話装置により読み取り可能なコードであって前記管理サーバに接続するためのＵＲＬおよび各管理対象体を識別するための識別情報を含むコードが付与されたものであり、
前記管理サーバは、前記タグに付与されたコードに基づいて接続した携帯電話装置に対し、前記管理対象体に対する連絡先を提供するものである
迷子管理システム。
【請求項２】
前記各管理対象体に対する連絡先は、前記各管理対象体の直接の所有者または保護者の連絡先である請求項１記載の迷子管理システム。
【請求項３】
前記各管理対象体に対する連絡先は、前記各管理対象体の直接の所有者または保護者の連絡先を管理する代理者の連絡先である請求項１記載の迷子管理システム。
【請求項４】
前記コードは二次元コードである請求項１から３のいずれかに記載の迷子管理システム。
【発明の詳細な説明】
【技術分野】
【０００１】
本発明は、ペット、子供、老人や物等の管理対象体が迷子になった場合に、その所有者や保護者等に引き合わせるための迷子管理システムに関する。
【背景技術】
【０００２】
ペットが迷子になった場合に飼い主へすぐに連絡できるようにするものとして、例えば特許文献１，２に記載のものが知られている。特許文献１に記載の迷子札は、ペットの首輪に、飼い主名や電話番号等の連絡先を打ち付けた迷子札を装着することにより、第三者がその迷子札の身元を確認し、すぐに連絡ができるようにするものである。また、特許文献２に記載の迷子札は、電子基板を備えて連絡先の電話番号を記憶した迷子札であり、この迷子札を携帯電話に接続することにより、連絡先の電話番号へ自動ダイヤルするものである。
【０００３】
また、特許文献３に記載の迷子札は、ＲＦＩＤを内蔵した迷子札に電話番号を記憶させることにより、ＲＦタグリーダにより迷子札から電話番号を読み出し、電話を掛けられるというものである。また、特許文献４には、名前や連絡先等の迷子情報を二次元バーコードに変換し、子供が所持する媒体にこの二次元バーコードをそれぞれ印刷しておくことにより、迷子になった子供の二次元バーコードを読み取り、解読させる迷子情報管理装置が記載されている。
【０００４】
【特許文献１】特開２００４−２２６９３５号公報
【特許文献２】特開２００２−３０６００９号公報
【特許文献３】特開２００４−１７１３６８号公報
【特許文献４】特開平７−１２１６１５号公報
【発明の開示】
【発明が解決しようとする課題】
【０００５】
特許文献１に記載の迷子札では、飼い主名や電話番号等の連絡先が迷子札に直接表示されるので、表示できる情報量が限られている。同様に、特許文献４に記載の迷子札においても、子供が所持する媒体に名前や連絡先等の迷子情報を二次元バーコードに埋め込んであるため、この埋め込むことのできる情報量が限られている。
【０００６】
一方、特許文献２、３の迷子札は電子式の迷子札であるため、ペットに装着した場合、風雨に晒される可能性があるため、故障により機能しなくなる可能性がある。また、電子式の迷子札であるため、迷子札１個当たりのコストが高い。
【０００７】
そこで、本発明においては、迷子札のコストを低く抑え、ペット、子供、老人や物等の管理対象体が迷子になった場合に、所有者や保護者等に的確に引き合わせることが可能な迷子管理システムを提供することを目的とする。
【課題を解決するための手段】
【０００８】
本発明の迷子管理システムは、各管理対象体に対する連絡先を管理する管理サーバと、各管理対象体に装着されるタグとを有し、タグは、携帯電話装置により読み取り可能なコードであって管理サーバに接続するためのＵＲＬおよび各管理対象体を識別するための識別情報を含むコードが付与されたものであり、管理サーバは、タグに付与されたコードに基づいて接続した携帯電話装置に対し、管理対象体に対する連絡先を提供するものである。
【０００９】
本発明の迷子管理システムによれば、ペット、子供、老人や物等の管理対象体にタグを装着しておけば、この管理対象体が迷子になった際に、この管理対象体を保護した人が、この管理対象体に装着されているタグに付与されているコードを携帯電話装置により読み取り、この読み取ったコードに基づいて管理サーバに接続すると、各コードに含まれる識別情報により各管理対象体が識別され、この各管理対象体に対する連絡先が携帯電話装置に提供されるので、この管理対象体とその所有者または保護者とを的確に引き合わせることができる。
【００１０】
ここで、各管理対象体に対する連絡先が、各管理対象体の直接の所有者または保護者の連絡先であれば、各管理対象体に装着されているタグを携帯電話装置により読み取った人が、各管理対象体の直接の所有者または保護者に連絡し、各管理対象体をその所有者や保護者に素早くかつ的確に引き合わせることが可能となる。
【００１１】
また、この各管理対象体に対する連絡先は、各管理対象体の直接の所有者または保護者の連絡先を管理する代理者の連絡先であることが望ましい。この場合、各管理対象者に装着されているタグを携帯電話装置により読み取った人が、各管理対象体の直接の所有者または保護者の連絡先を管理する代理者に連絡し、この代理者を介して各管理対象体をその所有者や保護者に引き合わせることが可能となるので、各管理対象者の直接の所有者または保護者はそれぞれの直接の連絡先を公開する必要がない。
【００１２】
また、タグに付与される携帯電話装置により読み取り可能なコードとしては、二次元コードを用いることが望ましい。ＱＲコード（登録商標）のような二次元コードは、管理サーバに接続するためのＵＲＬおよび各管理対象体を識別するための識別情報を含ませるのが容易であり、またタグ上へ表示するだけで機能するため、低コストでタグを製作することが可能となる。
【発明の効果】
【００１３】
（１）各管理対象体に対する連絡先を管理する管理サーバと、各管理対象体に装着されるタグとを有し、タグが、携帯電話装置により読み取り可能なコードであって管理サーバに接続するためのＵＲＬおよび各管理対象体を識別するための識別情報を含むコードが付与されたものであり、管理サーバが、タグに付与されたコードに基づいて接続した携帯電話装置に対し、管理対象体に対する連絡先を提供するものであることにより、ペット、子供、老人や物等の管理対象体にタグを装着しておけば、この管理対象体が迷子になった際、この管理対象体を保護した人により、この管理対象体に装着されているタグに付与されているコードが携帯電話装置により読み取られ、この管理対象体に対する連絡先が提供されるので、この管理対象体がその所有者または保護者に的確に引き合わせられる。また、このタグに付与するコードは管理サーバに接続するためのＵＲＬおよび各管理対象体を識別するための識別情報だけを含めば良いので、タグ１個当たりのコストを低く抑えることが可能となる。また、各管理対象体に対する連絡先を含むその他の様々な情報は管理サーバで管理すれば良いので、多くの情報を管理することが容易となる。
【００１４】
（２）各管理対象体に対する連絡先が、各管理対象体の直接の所有者または保護者の連絡先であれば、各管理対象体に装着されているタグを携帯電話装置により読み取った人が、各管理対象体の直接の所有者または保護者に連絡し、各管理対象体をその所有者や保護者に素早くかつ的確に引き合わせることが可能となる。
【００１５】
（３）各管理対象体に対する連絡先が、各管理対象体の直接の所有者または保護者の連絡先を管理する代理者の連絡先であることにより、各管理対象者の直接の所有者または保護者はそれぞれの直接の連絡先を公開する必要がなく、代理者を介して各管理対象体がその所有者や保護者に引き合わせられる。
【００１６】
（４）携帯電話装置により読み取り可能なコードとして、二次元コードを用いることにより、低コストでタグを製作することが可能となる。また、現在普及している携帯電話装置は、二次元コードを読み取る機能を有しているので、コードを読み取るための新たな設備を準備する必要がない。
【発明を実施するための最良の形態】
【００１７】
図１は本発明の実施の形態における迷子管理システムの全体構成図である。
図１において、本発明の実施の形態における迷子管理システムは、各管理対象体としてのペット１に装着されるタグ２と、ペット１に対する連絡先を管理する管理サーバ３とから構成される。タグ２は、ペット１の首輪等に装着されるいわゆる迷子札の類のものである。このタグ２には、携帯電話装置４により読み取り可能なＱＲコードなどの二次元コード２０が付与されている。管理サーバ３はインターネットに接続されており、このインターネットを介して接続する携帯電話装置４に対して各種情報を提供するものである。
【００１８】
管理サーバ３は、ペット１の迷子管理サービスを提供するサービス提供会社によって管理される。管理サーバ３において管理される情報は、各ペット１の名前、性別、動物名、種別、誕生日、満年齢、出生地、配偶者名、父親の名前、母親の名前、医療情報（動物病院名、電話番号、去勢・避妊手術の有無、血液型、既往症等）、および、連絡先としての各ペット１の直接の所有者（飼い主）の氏名、住所、電話番号や電子メールアドレス等である。
【００１９】
二次元コード２０は、インターネットを介して管理サーバ３に接続するためのＵＲＬおよび各ペット１を識別するための識別情報を含むものである。この二次元コード２０は、携帯電話装置４に読み取られることにより復号化される。したがって、この二次元コード２０を読み取った携帯電話装置４では、この二次元コード２０に含まれるＵＲＬに基づいて管理サーバ３に接続し、識別情報に基づいて各ペット１に対する連絡先を含む情報を取得することができる。
【００２０】
なお、連絡先を非公開にすることを希望する飼い主については、管理サーバ３は、携帯電話装置４に対して各ペット１の直接の飼い主の連絡先は提供せず、管理サーバ３を管理するサービス提供会社を代理者としてその代理者の連絡先（名称、住所、電話番号や電子メールアドレス等）を提供する。
【００２１】
以下、上記構成の迷子管理システムの運用について図２のフロー図に基づいて説明する。
【００２２】
まず、ペット１の飼い主とサービス提供会社との間で契約を行い、ペット１の飼い主はサービス提供会社に対して、ペット１の名前、性別、動物名、種別、誕生日、満年齢、出生地、配偶者名、父親の名前、母親の名前、医療情報や連絡先等の情報を開示する（ステップＳ１００）。そして、サービス提供会社は、これらの情報を管理サーバ３に登録するとともに、ペット１を識別するための個別の識別情報を付与し、この識別情報および管理サーバ３に接続するためのＵＲＬを含む二次元コード２０を表示したタグ２を飼い主に発行する（ステップＳ１０１）。飼い主は、この発行されたタグ２をペット１の首輪等に装着しておく（ステップＳ１０２）。
【００２３】
そして、何らかの原因によりペット１が行方不明となった場合、誰か（発見者）がこのペット１を発見すると、ペット１にはタグ２が装着されているので、このタグ２の二次元コード２０を携帯電話装置４により読み取る（ステップＳ１０３）。すると、この二次元コード２０は携帯電話装置４により復号化されることにより、この二次元コード２０に含まれるＵＲＬにより管理サーバ３に接続可能となるので、発見者は携帯電話装置４により管理サーバ３に接続する（ステップＳ１０４）。
【００２４】
このとき、携帯電話装置４は、管理サーバ３に接続する際、二次元コード２０に含まれるペット１の識別情報を伴うので、管理サーバ３は、この識別情報に基づいて各ペット１に対する連絡先を含む情報を発見者の携帯電話装置４に提供する。ここで、連絡先を非公開にすることを希望する飼い主の場合には、サービス提供会社の連絡先が発見者の携帯電話装置４に提供されるので、発見者はペットを発見した旨をサービス提供会社に連絡する（ステップＳ１０５、Ｓ１０６）。そして、サービス提供会社を通じて、ペット１が発見された旨が飼い主に連絡される（ステップＳ１０７）。
【００２５】
一方、連絡先を公開することを希望する飼い主の場合には、飼い主の連絡先が発見者の携帯電話装置４に提供されるので（ステップＳ１０５、Ｓ１０８）、発見者はペット１を発見した旨を飼い主に直接連絡することができる（ステップＳ１０９）。
【００２６】
以上のように、本実施形態における迷子管理システムによれば、ペット１にタグ２を装着しておけば、このペット１が迷子になった際、このペット１を発見した人により、このペット１に装着されているタグ２に付与されている二次元コード２０が携帯電話装置４により読み取られ、このペット１に対する連絡先が提供されるので、このペット１を飼い主に的確に引き合わせることができる。
【００２７】
また、本実施形態における迷子管理システムを有効に機能させるためには、ペット１に装着するタグ２に対し、管理サーバ３に接続するためのＵＲＬおよび各ペット１を識別するための識別情報だけを最低限付与すれば良いので、情報量としては印刷により形成可能な二次元コード２０で十分であり、タグ２の１個当たりの製造コストを低く抑えることが可能である。また、各ペット１に対する連絡先を含むその他の様々な情報は管理サーバ３で管理すれば良いので、多くの情報を管理することが容易である。
【００２８】
また、現在普及している携帯電話装置４は、そのほとんどが二次元コード２０を読み取る機能を有しているので、発見者がこの二次元コード２０を読み取り可能な携帯電話装置４を所有している可能性が高く、二次元コード２０を読み取るための新たな設備を準備する必要がない。
【００２９】
また、携帯電話装置４に提供される各ペット１に対する連絡先が、各ペット１の飼い主の連絡先であれば、各ペット１の発見者が直接飼い主に連絡し、素早くかつ的確に引き合わせることが可能である。一方、各ペット１に対する連絡先を、各ペット１の飼い主の連絡先を管理するサービス提供会社の連絡先とする場合には、各ペット１の飼い主の連絡先を公開する必要がなく、サービス提供会社を介して各ペット１を飼い主に引き合わせることができる。
【産業上の利用可能性】
【００３０】
本発明の迷子管理システムは、ペット、子供、老人や物等の管理対象体が迷子になった場合に、その所有者や保護者等に引き合わせるための迷子管理システムとして有用である。
【図面の簡単な説明】
【００３１】
【図１】本発明の実施の形態における迷子管理システムの全体構成図である。
【図２】図１の迷子管理システムの運用フロー図である。
【符号の説明】
【００３２】
１  ペット
２  タグ
３  管理サーバ
４  携帯電話装置
２０  二次元コード
【図１】
2007213523.tif 000003
【図２】
2007213523.tif 000004